(57)【特許請求の範囲】
【請求項１】
デッキカバー２内に３連のロータリーブレード１ａ・１ｂ・１ｃを配置し、該ロータリーブレード１ａ・１ｂ・１ｃを回転させることによって芝を刈り取ると同時に搬送風を発生させ、刈芝をデッキカバー２の右側部に開口した排出口２ｃより排出するモアにおいて、
３連のロータリーブレード１ａ・１ｂ・１ｃの中で、右側の２連のロータリーブレード１ｂ・１ｃの回転軌跡内の上方であって、機体の前後方向に対して排出側の後方に所定角度θだけズレた位置のデッキカバー２に、それぞれ空気取入孔２ｄ・２ｅを開口し、
３連のロータリーブレード１ａ・１ｂ・１ｃの回転軌跡の間の、前部位置の上部のデッキカバー２に、一段下がった窪部２ｇと一段盛り上がった隆起部２ｈを形設したことを特徴とするモアのデッキカバー。
【発明の詳細な説明】
【０００１】
【発明の属する技術分野】
本発明は、走行機体に装着したロータリーブレード型のモアにより刈り取った刈芝を、効率良く放出する構成に関する。
【０００２】
【従来の技術】
従来から、走行機体の腹部や前部にロータリーブレード型のモアを装着する構成は公知である。
該モアＭには図６に示す様に、デッキカバー内にロータリーブレード１を左右方向に数箇所配設し、回転駆動するようにしていた。該ロータリーブレード１は、芝を刈り取ると同時に、該ブレード１の回転によって生じた風の流れによって刈り取った芝を搬送するようにしていた。
そのブレード１の回転は、図中の矢印Ｃの如く回転され、搬送風の発生により刈り取られた芝は、前記デッキカバーの前部に形設した矢印Ｄで示す芝流路２ａに従って、側方より刈芝を放出するようにしていた。
【０００３】
【発明が解決しようとする課題】
しかし、従来のモアＭで芝の密集度の濃い芝面を芝の刈り高さを低くしながら芝刈り作業を行うと、デッキカバーの下端と芝面の間の隙間が殆どなくなり、デッキカバー周囲から入る空気は極わずかとなり、取り入れられる空気が不足するために、図６の位置Ｐ・Ｐが負圧となってしまう。
つまり、前記ロータリーブレード１の回転により芝を切り取り搬送するときに、図６の二点鎖線に示した機体の前後方向より角度θの位置Ｐ・Ｐでは刈芝を搬送する搬送風量が不足するので、刈芝が滞留したり、更には芝の十分な搬送能力を発揮できないために、側方への排出が十分に行われず、詰まったり、刈取が十分行われなかったりしていた。
【０００４】
【課題を解決するための手段】
本発明が解決しようとする課題は以上の如くであり、該課題を解決するために、次の如く構成したものである。
デッキカバー２内に３連のロータリーブレード１ａ・１ｂ・１ｃを配置し、該ロータリーブレード１ａ・１ｂ・１ｃを回転させることによって芝を刈り取ると同時に搬送風を発生させ、刈芝をデッキカバー２の右側部に開口した排出口２ｃより排出するモアにおいて、３連のロータリーブレード１ａ・１ｂ・１ｃの中で、右側の２連のロータリーブレード１ｂ・１ｃの回転軌跡内の上方であって、機体の前後方向に対して排出側の後方に所定角度θだけズレた位置のデッキカバー２に、それぞれ空気取入孔２ｄ・２ｅを開口し、３連のロータリーブレード１ａ・１ｂ・１ｃの回転軌跡の間の、前部位置の上部のデッキカバー２に、一段下がった窪部２ｇと一段盛り上がった隆起部２ｈを形設したものである。
【０００５】
【発明の実施の形態】
次に本発明の実施の形態を説明する。
図１は腹部にモアを装着したローンモアの側面図、
図２はモアの平面図、
図３は本発明のデッキカバーの平面図、
図４は同じく側面断面図、
図５は空気取入口を被装する取入ガイドを示す側面断面図、
図６は従来のモアを示した底面図である。
【０００６】
図１、図２において、ロータリーブレード型のモアＭとキャッチャボックスＢを装着したローンモアＡの全体構成から説明する。
走行機体であるトラクターの前輪３０・３０と後輪３１・３１の間の腹部に、３連のロータリーブレードを有するモアＭが昇降機構を介して吊設され、運転席で昇降操作できるようにしている。
該モアＭは前部に前部支持輪３２を設けて支持し、後部に後部ガイド輪３３を設けて刈り高さを調節可能に支持し、モアＭを下げた状態で圃場面に追随させながら走行して刈取作業を行うようにしている。
【０００７】
また、機体フレームＦ前部上のボンネット内にエンジンＥを載置し、該エンジンＥからの動力を変速装置を介して、前輪３０・３０及び後輪３１・３１を駆動している。また、フロントアクスルケースのフロントＰＴＯ軸からユニバーサルジョイント１７を介してモアＭ上部に設けたギアボックス２７に動力が伝達され、該ギアボックス２７で変速されてロータリーブレード１ａ・１ｂ・１ｃと、スロワーＳを駆動している。
該スロワーＳは座席の右側に配置され、該モアＭにより刈取られた芝が排出口２ｃを通過し、スロワーＳへ放出され、該スロワーＳの羽根の回転により、連結ホース２１を介してキャッチャーボックスＢの投入口へ刈芝が搬送される。
【０００８】
また、図２に示すように、前記ロータリーブレード１ａ・１ｂ・１ｃは、デッキカバー２のデッキ部２ｂにより覆われている。該ロータリーブレード１ａ・１ｂ・１ｃの回転軸は該デッキ部２ｂ上に回転自在に突出されて、それぞれプーリー３ａ・３ｂ・３ｃを固設し、該プーリー３ａ・３ｂ・３ｃにベルト４０を巻回して、同一方向で同一回転数で回転するようにしている。
前記プーリー３ｂを固設した回転軸は、前記ギアボックス２７より直接駆動され、ベルト４０を介してそれぞれのプーリーが駆動される。４３はテンションプーリーである。また、プーリー３ｃの回転軸上部にベベルギアボックス３９を設け、該ベベルギアボックス３９からジョイント軸４１を突出してスロワーＳの駆動軸に伝動している。
【０００９】
そして、互いに隣接するロータリーブレード１ａ・１ｂ・１ｃの回転軌跡は重複するように配置されて、前進刈取作業で刈り残しが発生しないようにしており、デッキカバー２の後部には前記ロータリーブレード１ａ・１ｂ・１ｃの回転軌跡の後部を覆うようにブレードガイド２ｆを形設し、該デッキカバー２の前部はロータリーブレード１ａ・１ｂ・１ｃの位置よりも高くして芝流路２ａを形成し、該芝流路２ａは出口に向かい徐々に高さが高くなるように構成している。
また、ロータリブレード１ａと１ｂ及び１ｂと１ｃの回転軌跡の間の前部位置の上部のデッキ部２ｂに、図３に示すように下方に一段下がった窪部２ｇと一段盛り上がった隆起部２ｈを形設しており、前記隣接するロータリブレード１ａと１ｂ及び１ｂと１ｃの回転による搬送風の流れを一定方向向きに安定させるようにし、搬送風を平面視において、ロータリブレード１ａ・１ｂ・１ｃの回転に従って時計回りに循環するようにしている。
【００１０】
そして、デッキカバー２上に本発明の空気取入部を設けている。
即ち、図３乃至図５に示すように、前記ロータリブレード１ｂ・１ｃの回転軌跡内のデッキカバー２上面に、機体の前後方向に対して所定角度θだけ排出側にズレた位置（図６に示した負圧の発生する位置Ｐ）に、空気取入孔２ｄ・２ｅを開口している。
該空気取入孔２ｄ・２ｅは、正方形状に開口しており、それぞれ網材６により被装し、前記ロータリブレード１ｂを被装するデッキ部２ｂに形設した空気取入孔２ｄは、前記ベルト４０のテンションを保つテンションローラー４３と干渉しないように配設している。
また、前記ロータリブレード１ｃの上方のデッキ部２ｂに設けた空気取入孔２ｅはプーリーカバーによって覆われていないので、取入ガイド４により被装し、該取入ガイド４は後面に開口４ａを形設している。但し、前記空気取入孔２ｄ・２ｅは各ロータリーブレード毎に設けてもよく、該空気取入孔の形状は限定するものではなく、丸や三角形、またはロータリーブレードの回転軌跡に合わせた形状としてもよく、また、空気取入孔２ｄ・２ｅを覆う網材６は空気が入り、刈芝が飛び出さないものであれば網に限定するものではない。
【００１１】
このように構成したことで、ロータリーブレード１ａ・１ｂ・１ｃを回転させて、刈取とともに、搬送風を生じさせると、空気取入口２ｄ・２ｅの部分において負圧となるので、その負圧を解消する空気が取り入れられ、十分な搬送風が得られて、刈り取った芝をスムーズに排出することができる。そして、刈芝がロータリーブレード１ａ・１ｂ・１ｃと連れ回りしても、空気取入口２ｄ・２ｅは網で覆われているので、空気取入口２ｄ・２ｅから飛び出すこともない。
【００１２】
【発明の効果】
本発明は以上の如く構成したので、次のような効果を奏するのである。
第１に、ロータリーブレードの回転軌跡近傍の負圧発生位置上方のデッキカバーに空気取入口を開口したので、刈取作業時に負圧発生部分に十分な空気が流入するようになり、刈芝を搬送する芝流路に搬送風が十分流れて、搬送能力が向上して刈芝を確実に排出できるようになり、デッキカバー内に刈芝が滞留したり、ロータリーブレードと連れ回りすることがなくなり、詰まったり、負荷が大きくならず、刈取効率を向上させることができる。
第２に、空気取入口にカバーを設けたので、ロータリーブレードが露出することがなく、その開口部から刈芝が飛び出すこともなく、空気の流入を助けることもできたのである。
第３に、３連のロータリーブレード１ａ・１ｂ・１ｃの回転軌跡の間の、前部位置の上部のデッキカバー２に、一段下がった窪部２ｇと一段盛り上がった隆起部２ｈを形設したので、隣接するロータリブレード１ａと１ｂ及び１ｂと１ｃの回転による搬送風の流れを一定方向向きに安定させることが出来たのである。
【図面の簡単な説明】
【図１】腹部にモアを装着したローンモアの側面図である。
【図２】モアの平面図である。
【図３】本発明のデッキカバーの平面図である。
【図４】同じく側面断面図である。
【図５】空気取入口を被装する取入ガイドを示す側面断面図である。
【図６】従来のモアを示した底面図である。
【符号の説明】
Ｍ    モア
１    ロータリーブレード
２    デッキカバー
２ａ  芝流路
２ｂ  デッキ部
２ｃ  排出口
２ｄ  空気取入口
２ｅ  空気取入口
【図１】
0003612630.tif 000002
【図２】
0003612630.tif 000003
【図３】
0003612630.tif 000004
【図４】
0003612630.tif 000005
【図５】
0003612630.tif 000006
【図６】
0003612630.tif 000007